(57)【要約】【課題】誤ったデータを電子透かしとして埋め込むことを防ぐため、電子透かし情報が正しく埋め込まれていることをカード発行前に検証することのできるカード発行システムを提供する。【解決手段】画像に埋め込むためのカード固有の電子透かし情報を記憶する電子透かし情報記憶手段と、カード券面に印刷する画像に電子透かし情報を埋め込み、電子透かし画像を生成する電子透かし情報埋め込み手段と、生成された電子透かし画像から該電子透かし画像に埋め込まれた電子透かし情報を抽出し、この抽出された電子透かし情報と、電子透かし情報記憶手段から読み出した電子透かし情報を照合することによって、電子透かし画像を検証する電子透かし情報検証手段とを備える。【選択図】      図１
2004166037.tif 000002
【特許請求の範囲】
【請求項１】
カード券面に印刷する画像をプリンタに対して転送するカード発行システムであって、
前記画像に埋め込むためのカード固有の電子透かし情報を記憶する電子透かし情報記憶手段と、
カード券面に印刷する画像に前記電子透かし情報を埋め込み、電子透かし画像を生成する電子透かし情報埋め込み手段と、
生成された前記電子透かし画像から該電子透かし画像に埋め込まれた電子透かし情報を抽出し、この抽出された電子透かし情報と、前記電子透かし情報記憶手段から読み出したカード固有の電子透かし情報を照合することによって、前記電子透かし画像を検証する電子透かし情報検証手段と、
を備えることを特徴とするカード発行システム。
【請求項２】
カード券面に印刷する画像をプリンタに対して転送するカード発行処理をコンピュータに実行させるコンピュータプログラムであって、
前記画像に埋め込むためのカード固有の電子透かし情報を記憶する電子透かし情報記憶手段から、前記電子透かし情報を読出し、カード券面に印刷する画像に当該電子透かし情報を埋め込み、電子透かし画像を生成する電子透かし情報埋め込み過程と、
生成された前記電子透かし画像から該電子透かし画像に埋め込まれた電子透かし情報を抽出し、この抽出された電子透かし情報と、前記電子透かし情報記憶手段から読み出したカード固有の電子透かし情報を照合することによって、前記電子透かし画像を検証する電子透かし情報検証過程と、
の処理をコンピュータに実行させるコンピュータプログラム。
【請求項３】
画像に電子透かし情報を埋め込んでから該画像をカード券面に印刷するカード発行方法において、
該画像をカード券面に印刷する前に、前記画像に埋め込まれた前記電子透かし情報を抽出し検証する過程を有することを特徴とするカード発行方法。
【請求項４】
カード券面に印刷する画像をプリンタに対して転送するカード発行方法であって、
前記画像に埋め込むためのカード固有の電子透かし情報を記憶する電子透かし情報記憶手段から、前記電子透かし情報を読出し、カード券面に印刷する画像に当該電子透かし情報を埋め込み、電子透かし画像を生成する電子透かし情報埋め込み過程と、
生成された前記電子透かし画像から該電子透かし画像に埋め込まれた電子透かし情報を抽出し、この抽出された電子透かし情報と、前記電子透かし情報記憶手段から読み出したカード固有の電子透かし情報を照合することによって、前記電子透かし画像を検証する電子透かし情報検証過程と、
を有することを特徴とするカード発行方法。
【発明の詳細な説明】
【０００１】
【発明の属する技術分野】
この発明は、磁気カードやＩＣカードなどを用いたカード発行システムに関する。特に、カード券面の画像に電子透かしを埋め込んだカードを発行するためのカード発行システムに関する。
【０００２】
【従来の技術】
磁気ストライプに情報を記録する磁気カードやＩＣチップに情報記録する各種カードの券面に印刷される画像の中に、他の情報を電子透かしとして埋め込む機能を有するカード発行システムは、従来から存在している。
例えば、プラスチックカード上に顔写真及び文字情報をプリントするカードプリンタにデータをエンコードできるようにエンコーダーを設けたカード発行システムに関する特許出願も行われている（特許文献１参照）。
このように印刷される画像の中に電子透かしを埋め込んだ場合、その電子透かしを検出するためには、電子透かしが埋め込まれたデジタル画像は、一旦印刷されてアナログ画像となり、そのアナログ画像をスキャナやデジタルカメラ等の読取装置で読み取ることによって再びデジタル画像として取り込まれ、この取り込まれたデジタル画像から元の電子透かしを検出することとなる。従って、このようなデジタル画像〜アナログ画像〜デジタル画像という変換の過程での情報の劣化に耐え得る方式で、電子透かしの埋め込みが行われる。
上記のような変換の過程での情報劣化に対する耐性のある電子透かしの方式として、画像内の特定の周波数領域に電子透かしを埋め込む技術が既に発明されている（特許文献２参照）。
【０００３】
従来のカード発行システムでは、上記のような技術を利用しながら、データを編集する過程、券面に印刷する画像に電子透かしを埋め込む過程、および前記の編集されたデータおよび電子透かしを埋め込まれた画像を用いてカードを発行する過程の、各過程の処理が行われる。
ここで例えば、社員証などとして用いられるＩＤ（識別）カードを発行する場合、前記データを編集する過程においては、社員コードや名前等に関するデータが編集され、当該社員の顔写真の画像データが編集される。
また、前記電子透かしを埋め込む過程においては、顔写真の画像データに文字情報（例えば、社員コード、名前、カード有効期限など）あるいは画像情報（例えば、会社ロゴマークなど）が電子透かしとして埋め込まれる。なお、顔写真の画像データに電子透かしを埋め込む代わりに、カード券面の背景画像などに電子透かしを埋め込む場合もある。
そして、カードを発行する過程においては、前記電子透かしの埋め込まれた画像データやその他の文字データをカードプリンタに転送することによって、カード券面への印刷が行われるとともに、磁気ストライプやＩＣチップなどの記憶媒体に必要な情報が書き込まれる。
【０００４】
【特許文献１】
特開２００１−２１６４７６号公報
【特許文献２】
特開２００２−０６４７００号公報
【０００５】
【発明が解決しようとする課題】
しかしながら、上記従来技術では、次のような問題があった。
まず、電子透かし埋め込みの処理の過程において何らかの不具合が生じた場合、電子透かしが正しく埋め込まれていない画像データがカードプリンタに転送され、誤ったカードを印刷してしまう可能性がある。また、カード発行システムの利用者の操作ミスにより、間違ったデータを電子透かしとして埋め込み、誤ったカードを印刷してしまう可能性がある。また、画像データにあるデータを電子透かしとして埋め込む処理を行った後に、そのデータがさらに編集されて更新されてしまい、結果として、編集された最新のデータとカードに印刷された画像身埋め込まれている電子透かし情報とが相互に不整合のままカードが発行されてしまうという可能性がある。
【０００６】
本発明は、上記のような事情を考慮して為されたものであり、上記各種問題を解決するために、電子透かし情報が正しく埋め込まれていることをカード発行前に検証することのできるカード発行システムを提供することを目的とする。
【０００７】
【課題を解決するための手段】
上記の課題を解決するために、本発明は、カード券面に印刷する画像をプリンタに対して転送するカード発行システムであって、前記画像に埋め込むためのカード固有の電子透かし情報を記憶する電子透かし情報記憶手段と、カード券面に印刷する画像に前記電子透かし情報を埋め込み、電子透かし画像を生成する電子透かし情報埋め込み手段と、生成された前記電子透かし画像から該電子透かし画像に埋め込まれた電子透かし情報を抽出し、この抽出された電子透かし情報と、前記電子透かし情報記憶手段から読み出したカード固有の電子透かし情報を照合することによって、前記電子透かし画像を検証する電子透かし情報検証手段とを備えることを特徴とするカード発行システムを要旨とする。
このカード発行システムでは、前記電子透かし情報検証手段による検証処理の結果、検証正常となった場合のみ、電子透かし画像のカードへの印刷を行うため、誤った電子透かし情報が埋め込まれたカードを発行することを防止できる。
【０００８】
また、本発明は、カード券面に印刷する画像をプリンタに対して転送するカード発行処理をコンピュータに実行させるコンピュータプログラムであって、前記画像に埋め込むためのカード固有の電子透かし情報を記憶する電子透かし情報記憶手段から、前記電子透かし情報を読出し、カード券面に印刷する画像に当該電子透かし情報を埋め込み、電子透かし画像を生成する電子透かし情報埋め込み過程と、生成された前記電子透かし画像から該電子透かし画像に埋め込まれた電子透かし情報を抽出し、この抽出された電子透かし情報と、前記電子透かし情報記憶手段から読み出したカード固有の電子透かし情報を照合することによって、前記電子透かし画像を検証する電子透かし情報検証過程との処理をコンピュータに実行させるコンピュータプログラムである。
【０００９】
また、本発明は、画像に電子透かし情報を埋め込んでから該画像をカード券面に印刷するカード発行方法において、該画像をカード券面に印刷する前に、前記画像に埋め込まれた前記電子透かし情報を抽出し検証する過程を有することを特徴とするものである。
さらに、本発明は、カード券面に印刷する画像をプリンタに対して転送するカード発行方法であって、前記画像に埋め込むためのカード固有の電子透かし情報を記憶する電子透かし情報記憶手段から、前記電子透かし情報を読出し、カード券面に印刷する画像に当該電子透かし情報を埋め込み、電子透かし画像を生成する電子透かし情報埋め込み過程と、生成された前記電子透かし画像から該電子透かし画像に埋め込まれた電子透かし情報を抽出し、この抽出された電子透かし情報と、前記電子透かし情報記憶手段から読み出したカード固有の電子透かし情報を照合することによって、前記電子透かし画像を検証する電子透かし情報検証過程とを有することを特徴とするものである。
【００１０】
【発明の実施の形態】
（第１の実施形態）
以下、図面を参照しこの発明の一実施形態について説明する。本実施形態では、カードの例としてＩＤカードの場合について説明するが、ＩＣカードや磁気カードなどのいずれのカードであっても良いことは言うまでもない。
図１は、同実施形態によるＩＤカード発行の処理の流れを示す概略図である。この図において、符号１はＩＤカード発行システムであり、このＩＤカード発行システム１は、その内部において、データ編集（１１）の過程と、電子透かし埋め込み（１２）の過程と、電子透かし検証（１３）の過程の、各過程の処理を行う。そして、これらの処理の結果として、ＩＤカード発行システム１からカードプリンタ２に対してカード発行に必要なデータが転送され、このデータを用いてカードプリンタ２がカード券面への印刷等を行うことにより、ＩＤカード発行（１４）の処理が行われる。
つまり、本実施形態によるＩＤカード発行システムの特徴は、ＩＤカード発行のために必要なデータをカードプリンタに転送する前段に電子透かし検証の過程を設けたことにある。
【００１１】
以下、ＩＤカード発行システム１内部の処理について、より詳細に説明する。
データ編集（１１）の過程においては、本システムの利用者によって、カードの磁気ストライプやＩＣチップに書き込むデータや、カード券面に印刷される文字データあるいは記号データや、カード券面に印刷される顔写真の画像データあるいはカード券面背景の画像データや、これら画像データに電子透かしとして埋め込まれるデータの編集が行われる。なお、各ＩＤカードに電子透かしとして埋め込まれるデータは、例えば社員コードや、名前や、所属部署や、有効期限などのＩＤカードに関連するデータであって、これらのデータは電子透かし情報データベース（ＤＢ）に格納される。
電子透かし埋込（１２）の過程においては、顔写真の画像データまたはカード券面背景の画像データの中に、文字や記号や図形などのＩＤカードに関連するデータを電子透かしとして埋め込み、電子透かし入り画像データを生成する。
電子透かし検証の過程では、この生成された電子透かし入り画像データから埋め込まれている電子透かし情報を抽出し、この抽出した電子透かし情報と電子透かし情報データベースに格納されているデータとを照合することにより、電子透かし入り画像データにデータが正しく埋め込まれているかどうかを検証する。
【００１２】
次に、図２および図３を参照しながら、上記電子透かし埋込の過程の処理についてより詳細に説明する。
図２は、電子透かし埋込の処理を行うための構成を示すブロック図であり、この構成は前記ＩＤカード発行システム１の一部に含まれている。図２に示すように、電子透かし埋込（１２）の処理を行うために、ＩＤカード発行システム１は、画像記憶手段１２１と、電子透かし情報記憶手段１２２と、電子透かし情報埋込手段１２３と、電子透かし画像記憶手段１２４とを備えている。画像記憶手段１２１は、電子透かし情報（ＩＤカードに関連する情報）を埋め込む前の画像データを記憶する。電子透かし情報記憶手段１２２は、ＩＤカードに印刷する画像データに埋め込むためのＩＤカードに関連するデータを記憶する。電子透かし情報埋込手段１２３は、画像記憶手段１２１および電子透かし情報記憶手段１２２からお互いに対応するデータを読み出して、画像データに対応するカード固有のＩＤカードに関連するデータを埋め込む処理をする。そして、電子透かし画像記憶手段１２４は、この電子透かし情報埋込手段１２３によって生成された電子透かし入り画像データを記憶する。なお、画像記憶手段１２１と、電子透かし情報記憶手段１２２と、電子透かし画像記憶手段１２４の各記憶手段としては、例えば半導体メモリや磁気ディスクなどを用いる。
【００１３】
図３は、電子透かし埋込（１２）の具体的な処理内容を示す概略図である。図３における顔画像データ１２１ａおよびカード券面背景画像データ１２１ｂは、図２に示した画像記憶手段１２１に記憶されているデータである。同様に、電子透かし情報データベース（ＤＢ）１２２ａは、電子透かし情報記憶手段１２２に相当する。また、電子透かし埋め込みソフトウェア１２３ａは、コンピュータプログラムであり、この電子透かし埋め込みソフトウェア１２３ａをＩＤカード発行システム１を構成するコンピュータが実行することによって、電子透かし情報埋込手段１２３の機能が実現される。また、電子透かし入り画像データ１２４ａおよび１２４ｂは、電子透かし画像記憶手段１２４に記憶されるデータである。
【００１４】
図３に示すように、電子透かし埋め込みソフトウェア１２３ａの処理により、顔画像データ１２１ａまたはカード券面背景画像データ１２１ｂが表す画像データに、これらの画像データに対応するデータを電子透かし情報データベース１２２ａから読み取り、このデータを先述の画像データに電子透かしとして埋め込み、電子透かし入り画像データ１２４ａまたは１２４ｂが生成される。
これらの画像データと、電子透かし情報データベース１２２ａとの対応付けとしては、予め画像データに一意に定められている社員コードなどを、画像データのファイル名にする。また、画像記憶手段１２１に記憶する際に、社員コードなどを一意に定まるキーとして、テーブル形式のデータベースと同様に予め管理するなどが考えられる。いずれにしても、画像データとＩＤカードに関連するデータとは、対応付けて管理できていることが好ましい。これは、特に画像データが顔写真データのようにＩＤカード毎に個々に異なっている場合には重要であり、ＩＤカードに一律なカード券面背景画像データである場合にはさして重要ではない。
【００１５】
なお、電子透かし情報データベース１２２ａは、一意に定められた社員コード、名前、所属、有効期限などといった項目を含む表形式のＩＤカードに関連するデータを保持しており、この表の各行が、ＩＤカード発行対象者、つまりＩＤカード毎に固有のデータに対応している。また、顔画像データ１２１ａとしては、当該ＩＤカード発行対象者の顔画像をあらわす画像データが用いられる。また、電子透かし埋め込みソフトウェア１２３ａの処理においては、画像データが表す画像内の特定の周波数領域に透かし情報を埋め込むようにする。具体的には、例えば、特開２００２−０６４７００号公報に記載されている技術を用いてデータを画像データに電子透かし情報にして埋め込みを行う。これにより、画像データを一旦カード券面等に印刷してアナログ化しても、その印刷された画像をスキャナやデジタルカメラ等で読み取ることによってデジタル化された画像から電子透かし情報の抽出ができる。
【００１６】
次に、図４および図５を参照しながら、電子透かし検証の過程の処理についてより詳細に説明する。
図４は、電子透かし検証（３）の処理を行うための構成を示すブロック図であり、この構成は前記ＩＤカード発行システム１の一部に含まれている。図４に示すように、電子透かし検証（３）の処理を行うために、ＩＤカード発行システム１は、電子透かし情報検出手段１３２と、電子透かし情報照合手段１３４と、結果記憶手段１３５とを備えている。電子透かし情報検出手段１３２は、電子透かし画像記憶手段１２４から電子透かし入り画像データを読出し、この画像データに埋め込まれた電子透かし情報を抽出する処理を行う。電子透かし情報照合手段１３４は、電子透かし情報検出手段１３２によって抽出された電子透かし情報と、この抽出された電子透かし情報に対応する電子透かし情報記憶手段に記憶されている最新のＩＤカードに関連するデータとを照合し、それらが一致するかどうかを判断する。また、結果記憶手段１３５には電子透かし情報照合手段１３４による電子透かし検証結果の情報が書き込まれ、結果記憶手段１３５はこの電子透かし検証結果の情報を記憶する。
なお、電子透かし情報検出手段１３２と、電子透かし情報照合手段１３４とをあわせたものが電子透かし情報検証手段に相当する。
【００１７】
図５は、電子透かし検証（３）の具体的な処理内容を示す概略図である。図５における電子透かし検証ソフトウェア１３２ａは、コンピュータプログラムであり、この電子透かし検証ソフトウェア１３２ａをコンピュータが実行することによって、図４で示した電子透かし情報検出手段１３２および電子透かし情報照合手段１３４の機能が実現される。また、図５に示す電子透かし処理結果データベース（ＤＢ）１３５ａは、図４で示した結果記憶手段１３５に相当するものである。
【００１８】
図５に示すように、電子透かし検証ソフトウェア１３２ａの処理により、まず検証の対象となる電子透かし入り画像データ１２４ａ又は１２４ｂが電子透かし画像記憶手段１２４から読み取られる。そして、この電子透かし入り画像データ１２４ａ又は１２４ｂから埋め込まれている電子透かし情報を抽出する処理が行われる。図示する例では、この電子透かし入り画像データ１２４ａ又は１２４ｂから社員コード（「０００００１」）と名前（「凸版太郎」）と所属部署（「開発部」）と有効期限（「２００２／０３／３１」）の電子透かし情報が抽出される。一方、電子透かし情報データベース１２２ａからは、当該ＩＤカード発行の対象となっている、つまり電子透かし入り画像データに対応するＩＤカードに関連するデータが読み出される。図示する例では、社員コード（「０００００１」）と名前（「凸版太郎」）と所属部署（「開発部」）と有効期限（「２００２／０３／３１」）のデータが、ＩＤカードに関連するデータとして読み出される。そして、この電子透かし情報とこのデータとの照合が行われ、その照合した結果が電子透かし処理結果データベース１３５ａに書き込まれる。図示する例では、電子透かし入り画像データ１２４ａ又は１２４ｂから抽出される電子透かし情報と、電子透かし情報データベース１２２ａから読み取られたＩＤカードに関連するデータが一致するため、電子透かし処理結果データベース１３５ａの当該社員コード（「０００００１」）に対応する電子透かし検証結果の欄には、「検証正常」を表す「１」が書き込まれる。なお、「検証異常」の場合には「−１」が書き込まれ、まだ電子透かし検証（３）の処理が行われていない場合には「検証なし」を表す「０」が初期値として書き込まれている。
なお、上記の電子透かし情報検出（抽出）の処理は、本実施形態の電子透かし方式に対応した方法により行う（例えば、特開２００２−０６４７００号公報を参照）。
【００１９】
そして、上記検証の結果、検証正常となった電子透かし入り画像データや、その他にＩＤカードに必要な情報が、ＩＤカード発行システム１からカードプリンタ２に転送され、カードプリンタ２によるカード券面への印刷が行われる。つまり、検証正常となったデータについてのみ、カード発行が行われ、何らかのエラーあるいは不正状況などの検証異常や検証未済みの場合には、カード発行は行われない。
これにより、カード発行を行った後に、電子透かし情報に問題がある、又は電子透かし情報とＩＤカードに関連するデータが対応しないなどの問題について、解決することができた。
【００２０】
（第２の実施形態）
本発明は、次のような技術分野でも用いられることは可能である。
この技術分野は、電子透かし技術を用いてデータを埋め込む対象である文字、記号や画像を含む証明書を発行する場合に用いても良い。
つまり、従来、電子透かし情報を含む画像などが印刷される証明書は、印刷（つまり発行）後に証明書に転記されている内容と、画像などに入れ込んだ電子透かしの内容とを確認することは行われていた。これはセキュリテイーを高めるために証明書の改竄の有無を確認するために行われている。
しかしながら、証明書を作成する以前に、電子透かし情報の有無を確認することは行っておらず、また、電子透かし技術を用いると人間の視覚には電子透かし情報を判別することができないため、適切なデータが電子透かし情報として証明書に埋め込まれているか否かの確認を行うことができなかった。このように、先の実施形態と同様に、ＩＤカードを発行する場合と同様の問題点が生していた。
そこで、本発明を先述のＩＤカードを発行する以外の証明書にも、応用することが可能である。
【００２１】
なお、本発明において証明書とは証明書を提示又は所持するものために、真実を証拠だてるために作った書面のことであり、例えば、先述のＩＤカード、免許証、健康保険証、パスポートなどのことである。
先の実施形態に照らし合わせてみると、証明書に記載される文字、記号の情報を証明書に関連するデータとし、証明書に印刷される顔写真の画像データや証明書の背景となる画像データとすれば実施は可能である。先の実施形態と同様に、社員コードの代わりに例えば免許番号、保険番号、パスポート番号などをキーとして、証明書に関連するデータと、証明書に印刷するべき画像データとを管理することが行われても良い。
このように、各証明書に記載されるべき情報と、証明書に印刷される画像データとが密接に関連し、各々異なる情報を含む証明書であれば、本発明を実施することは有用である。
つまり、各々の証明書に記載する内容が異なり、さらに、画像データヘ各々に異なる情報を電子透かし技術を用いて入れ込むと、人間が目視して確認することはできないので、証明書を印刷する前に確認することは非常に重要である。
また、印刷後に確認を行ってはコストが嵩むために、証明書を印刷する前に確認することは非常に重要である。
【００２２】
以上述べたように、本実施形態のＩＤカード発行システム１は、コンピュータを用いて実現されている。そして、前記各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２３】
以上、図面を参照してこの発明の実施形態を詳述してきたが、具体的な構成はこれらの実施形態に限られるものではなく、この発明の要旨を逸脱しない範囲の設計等も含まれる。
【００２４】
【発明の効果】
以上説明したように、この発明によれば、画像に電子透かしを埋め込んでからカード券面に印刷するカード発行方法において、この画像をカード券面に印刷する前に、画像に埋め込まれた前記電子透かしを抽出し検証する過程を有するため、例えばシステム利用者の操作ミスや、電子透かし埋め込み過程における不具合などにより、誤った電子透かしが埋め込まれたカードを発行することを未然に防止することができる。
また、電子透かし情報を記憶する電子透かし情報記憶手段と、画像に電子透かし情報を埋め込み電子透かし画像を生成する電子透かし情報埋め込み手段と、生成された電子透かし画像から該電子透かし画像に埋め込まれた電子透かし情報を抽出し、この抽出された電子透かし情報と、前記電子透かし情報記憶手段から読み出した電子透かし情報を照合することによって、前記電子透かし画像を検証する電子透かし情報検証手段とを備えたカード発行システムにより、誤った電子透かしが埋め込まれたカードの発行を未然に防止できるシステムを実現できる。また、電子透かし情報埋め込み手段が電子透かし情報を画像に埋め込んだ後に電子透かし情報記憶手段に記憶された情報が更新された場合にも、電子透かし情報検証手段によってその不整合を検出することができ、誤ったカードの発行を防止できる。
また、電子透かし技術を用いて画像に情報を埋め込むと人間には知覚できないので、発行の前段で電子透かしを確認することは必要である。
【図面の簡単な説明】
【図１】この発明の一実施形態によるＩＤカード発行の処理の流れを示す概略図である。
【図２】同実施形態により、電子透かし埋込の処理を行うための構成を示すブロック図である。
【図３】同実施形態による、電子透かし埋込の具体的な処理内容を示す概略図である。
【図４】同実施形態により、電子透かし検証の処理を行うための構成を示すブロック図である。
【図５】同実施形態による、電子透かし検証の具体的な処理内容を示す概略図である。
【符号の説明】
１  ＩＤカード発行システム
２  カードプリンタ
１１  データ編集（過程）
１２  電子透かし埋込（過程）
１３  電子透かし検証（過程）
１２１  画像記憶手段
１２１ａ  顔画像データ
１２１ｂ  カード券面背景画像データ
１２２  電子透かし情報記憶手段
１２２ａ  電子透かし情報データベース（ＤＢ）
１２３  電子透かし情報埋込手段
１２３ａ  電子透かし埋め込みソフトウェア
１２４  電子透かし画像記憶手段
１２４ａ，１２４ｂ  電子透かし入り画像データ
１３２  電子透かし情報検出手段
１３２ａ  電子透かし検証ソフトウェア
１３４  電子透かし情報照合手段
１３５  結果記憶手段
１３５ａ  電子透かし処理結果データベース（ＤＢ）
【図１】
2004166037.tif 000003
【図２】
2004166037.tif 000004
【図３】
2004166037.tif 000005
【図４】
2004166037.tif 000006
【図５】
2004166037.tif 000007